(57)【特許請求の範囲】
【請求項１】
内輪と、外輪と、内外輪間に配置した玉と、環体の一端側で軸方向に開口し玉を保持する球面状ポケットを円周上複数個形成した合成樹脂製冠形保持器とを有する転がり軸受において、
上記内輪外周面と保持器内周面とをそれぞれ軸受軸線に平行な円筒面とするとともに、上記保持器内周面に、上記保持器環体の一端面から他端面に向けて連続して軸方向に延びて、内周側先端が内輪外周面との間に隙間を有し、熱収縮による寸法収縮時に内輪外周面に接触する半円柱状の突条リブを形成したことを特徴とする玉軸受。
【請求項２】
上記突条リブを、ポケット間の柱部内周面に形成したことを特徴とする請求項１に記載の玉軸受。
【請求項３】
上記突条リブを、円周均等になるよう複数の柱部内周面に形成したことを特徴とする請求項２に記載の玉軸受。
【請求項４】
上記突条リブを、全柱部内周面に形成したことを特徴とする請求項２に記載の玉軸受。
【請求項５】
内輪と、外輪と、内外輪間に配置した玉と、環体の一端側で軸方向に開口し玉を保持する球面状ポケットを円周上複数個形成した合成樹脂製冠形保持器とを有する転がり軸受において、
上記内輪外周面と保持器内周面とをそれぞれ軸受軸線に平行な円筒面とするとともに、上記保持器内周面に、上記保持器環体の一端面から他端面に向けて不連続に軸方向に延びる複数のリブを形成したことを特徴とする玉軸受。
【発明の詳細な説明】
【０００１】
【発明の属する技術分野】
本発明は、高速回転装置、例えばデンタルハンドピースに使用される玉軸受に関する。
【０００２】
【従来の技術】
従来のデンタルハンドピースに使用される玉軸受は、内輪と、外輪と、内外輪間に配置した玉と、環体の一端側で軸方向に開口し玉を保持する球面状ポケットを円周上複数個形成した合成樹脂製冠形保持器とを有している。上記玉は、ポケットの開口部に形成された爪部にてポケット内に保持されている。
【０００３】
【発明が解決しようとする課題】
上記の従来の玉軸受においては、高速回転時（例えば４０万回転時）の保持器振れを防止するため、保持器内周面と内輪外周面との隙間を極力小さくすることが行われている。しかし、高速回転による軸受内部の温度上昇が発生し、この時、冠形保持器が合成樹脂製であることから、保持器が熱収縮による寸法収縮を生じて保持器内周面が内輪外周面に抱き着き、回転抵抗が非常に大きくなり、その結果、軸受の回転数が減少して軸受の使用ができなくなるという問題点があった。
【０００４】
そこで、この発明は、合成樹脂製冠形保持器の熱収縮による寸法収縮が生じても、保持器の内輪への抱き着きを防止し、回転抵抗を極力抑える玉軸受を提供することを目的とする。
【０００５】
【課題を解決するための手段】
本発明は上記課題を解決することを目的とし、内輪と、外輪と、内外輪間に配置した玉と、環体の一端側で軸方向に開口し玉を保持する球面状ポケットを円周上複数個形成した合成樹脂製冠形保持器とを有する転がり軸受において、上記内輪外周面と保持器内周面とをそれぞれ軸受軸線に平行な円筒面とするとともに、上記保持器内周面に、上記保持器環体の一端面から他端面に向けて連続して軸方向に延びて、内周側先端が内輪外周面との間に隙間を有し、熱収縮による寸法収縮時に内輪外周面に接触する半円柱状の突条リブを形成したことを特徴とする。
【０００６】
また、上記突条リブを、ポケット間の柱部内周面に形成したことを特徴する。
【０００７】
さらにまた、上記突条リブを、円周均等になるよう複数の柱部内周面に形成したことを特徴する。
【０００８】
さらにまた、上記突条リブを、全柱部内周面に形成したことを特徴する。
【００１０】
本発明は、内輪と、外輪と、内外輪間に配置した玉と、環体の一端側で軸方向に開口し玉を保持する球面状ポケットを円周上複数個形成した合成樹脂製冠形保持器とを有する転がり軸受において、上記内輪外周面と保持器内周面とをそれぞれ軸受軸線に平行な円筒面とするとともに、上記保持器内周面に、上記保持器環体の一端面から他端面に向けて不連続に軸方向に延びる複数のリブを形成したことを特徴とする。
【００１１】
【発明の実施の形態】
以下、この発明の具体的実施の形態について図面を参照して説明する。
図１において、内輪１と外輪２間に、複数の玉３が合成樹脂製冠形保持器４に円周等配に保持されて介装されている。この合成樹脂製冠形保持器４は、環体５の一端側で軸方向に開口した円周上複数個の球面状ポケット７を有し、各ポケット７内に上記各玉３が保持されている。また、各ポケット７の開口部８にはその開口間隔Ａが玉３の直径よりも小さくされた爪部９，１０が形成され、玉３の脱落を防止している。さらに、保持器４内周面４ａと内輪１外周面１ａは、それぞれ軸受軸線に平行な円筒面にて形成されている。
【００１２】
そして、上記合成樹脂製冠形保持器４は、図２においてさらに良く理解されるように、ポケット７間の柱部５ａ内周面に、軸受軸線に平行な突起６が形成され、内輪１外周面１ａにて回転案内される。この内輪外周面１ａ、保持器内周面４ａおよび突起内周面６ａがいずれも軸受軸線に平行であるため、突起内周面６ａと内輪外周面１ａとの隙間を極力小さくできる。また、この突起６は、全ての柱部５ａ内周面に形成してもよく、あるいは円周均等になるよう複数の柱部５ａ内周面に形成してもよい。全ての柱部５ａ内周面に突起６を形成した場合には、軸受温度上昇時の保持器４の熱収縮による寸法収縮の影響を極力抑えることができる。また、複数の柱部５ａ内周面に突起６を形成した場合は、上記全ての柱部５ａ内周面に突起６を形成した場合に比べて熱収縮防止効果ではやや劣るものの、寸法収縮時の内輪１に対する接触面積が小さい点で有利である。
【００１３】
また、上記突起６形状は、図１および図２のように、保持器環体５の一端面から他端面に向けて連続して軸方向に延びる突条リブとされている。この突条リブ６は円柱状で頂面が軸受軸線に平行とされている。上記の連続する突条リブ６とすることにより、射出成形が容易に行える。
【００１４】
さらに、図３に示すように、突起形状を保持器環体５に一端面から他端面に向けて不連続に軸方向に延びる複数のリブ１１としてもよい。この複数のリブ１１はそれぞれ同一高さで、内周面が軸線に平行とされている。上記複数リブ１１とすることにより、射出成形はやや複雑となるが、保持器の寸法収縮時の接触面積が小さいという有利さがある。
【００１５】
なお、上記各実施形態に限らず、突起箇所、突起形状の変更は本発明の範囲内にて行うことができるものである。
【００１６】
【発明の効果】
このように、本発明では、軸受温度上昇時の保持器の熱収縮による寸法収縮が生じても、突条リブもしくは複数のリブが内輪に接触するだけであるので、保持器の内輪に対する抱き着きが防止される。そのため、保持器の突条リブもしくは複数のリブの内周面と内輪外周面の隙間を小さくでき、高速回転時の保持器振れを防止できる。
【図面の簡単な説明】
【図１】本発明の一実施形態の玉軸受の断面図である。
【図２】本発明における合成樹脂製保持器の一実施形態の斜視図である。
【図３】本発明における合成樹脂製保持器の他の実施形態の斜視図である。
【符号の説明】
１    内輪
２    外輪
３    玉
４    保持器
５    環体
６    突起
７    ポケット
８    開口部
９    爪部
１０  爪部
１１  リブ
【図１】
0003838313.tif 000002
【図２】
0003838313.tif 000003
【図３】
0003838313.tif 000004